(57)【要約】【課題】ローカルディミングを行うものでありながらも、ブロックごとの画質の差を低減させることが容易となる表示装置を提供する。【解決手段】映像信号に基づいてブロックごとのバックライトの明るさの調整を行い、該バックライトを用いて該映像信号の映像を表示する表示装置であって、前記映像信号に対して、カラーゲイン調整或いはシャープネス調整を行う調整部を備え、この調整の強さを、ブロックごとに、同じブロックにおける前記明るさの調整の度合に応じて定める構成とする。【選択図】図１
2012205051.tif 000002
【特許請求の範囲】
【請求項１】
映像信号に基づいてブロックごとのバックライトの明るさの調整を行い、該バックライトを用いて該映像信号の映像を表示する表示装置であって、
前記映像信号に対して、カラーゲイン調整を行うカラーゲイン調整部を備え、
前記カラーゲイン調整の強さを、ブロックごとに、同じブロックにおける前記明るさの調整の度合に応じて定めることを特徴とする表示装置。
【請求項２】
前記バックライトが明るく調整されるほど、前記カラーゲイン調整の強さを高くすることを特徴とする請求項１に記載の表示装置。
【請求項３】
前記映像信号に対して、シャープネス調整を行うシャープネス調整部を備え、
前記シャープネス調整の強さを、ブロックごとに、同じブロックにおける前記明るさの調整の度合に応じて定めることを特徴とする請求項２に記載の表示装置。
【請求項４】
映像信号に基づいてブロックごとのバックライトの明るさの調整を行い、該バックライトを用いて該映像信号の映像を表示する表示装置であって、
前記映像信号に対して、シャープネス調整を行うシャープネス調整部を備え、
前記シャープネス調整の強さを、ブロックごとに、同じブロックにおける前記明るさの調整の度合に応じて定めることを特徴とする表示装置。
【請求項５】
前記バックライトが明るく調整されるほど、前記シャープネス調整の強さを高くすることを特徴とする請求項３または請求項４に記載の表示装置。
【請求項６】
各ブロックにおける前記カラーゲイン調整の強さの指標となる調整値を、同じブロックにおける前記明るさの調整の度合に応じて仮決めし、
各ブロックにおける仮決めされた前記調整値を、周囲のブロックにおける仮決めされた前記調整値との差が緩和されるように補正し、
該補正のなされた前記調整値に基づいて、前記カラーゲイン調整の強さを定めることを特徴とする請求項１から請求項３の何れかに記載の表示装置。
【請求項７】
各ブロックにおける前記シャープネス調整の強さの指標となる調整値を、同じブロックにおける前記明るさの調整の度合に応じて仮決めし、
各ブロックにおける仮決めされた前記調整値を、周囲のブロックにおける仮決めされた前記調整値との差が緩和されるように補正し、
該補正のなされた前記調整値に基づいて、前記シャープネス調整の強さを定めることを特徴とする請求項３から請求項５の何れかに記載の表示装置。
【発明の詳細な説明】
【技術分野】
【０００１】
本発明は、映像を表示する表示装置に関し、特に画質調整を行うものに関する。
【背景技術】
【０００２】
従来、ローカルディミングの機能を有する表示装置が提案されている。ローカルディミングは、映像の表示領域を複数のブロックに区切っておき、映像信号に応じて、ブロックごとにバックライトの明るさを調整する形態である。映像の暗い部分に対応するブロックについては、バックライトの明るさが低くなるようにすることで、省電力やコントラストの向上が実現される。
【先行技術文献】
【特許文献】
【０００３】
【特許文献１】特開２００６−２１６５３５号公報
【発明の概要】
【発明が解決しようとする課題】
【０００４】
上述した通り、ローカルディミングによれば、ブロックごとにバックライトの明るさが調整されることになる。ここで映像の画質に着目すると、特に色の濃さやシャープネス特性といった画質項目については、バックライトの明るさによってその度合が変化する。そのためローカルディミングが行われる表示装置では、このような画質がブロックによって異なるという状況が生じる。
【０００５】
一般的に、色の濃さに関しては、バックライトの明るいブロックでは色が薄くなり、バックライトの暗いブロックでは色が濃くなる傾向にある。またシャープネス特性に関しては、バックライトの明るいブロックではシャープネスの度合が弱くなり、バックライトの暗いブロックではシャープネス特性が強くなる傾向にある。
【０００６】
このようにブロックによって画質が異なると、観察者に違和感を与えるおそれがある。本発明は上述した問題に鑑み、ローカルディミングを行うものでありながらも、ブロックごとの画質の差を低減させることが容易となる表示装置の提供を目的とする。
【課題を解決するための手段】
【０００７】
上記目的を達成するため、本発明に係る表示装置は、映像信号に基づいてブロックごとのバックライトの明るさの調整を行い、該バックライトを用いて該映像信号の映像を表示する表示装置であって、前記映像信号に対して、カラーゲイン調整を行うカラーゲイン調整部を備え、前記カラーゲイン調整の強さを、ブロックごとに、同じブロックにおける前記明るさの調整の度合に応じて定める構成とする。
【０００８】
本構成によれば、ローカルディミングを行うものでありながらも、ブロックごとの画質の差を低減させることが容易となる。
【０００９】
また上記構成としてより具体的には、前記バックライトが明るく調整されるほど、前記カラーゲイン調整の強さを高くする構成としてもよい。
【００１０】
また上記構成において、前記映像信号に対して、シャープネス調整を行うシャープネス調整部を備え、前記シャープネス調整の強さを、ブロックごとに、同じブロックにおける前記明るさの調整の度合に応じて定める構成としてもよい。
【００１１】
また本発明に係る表示装置は、映像信号に基づいてブロックごとのバックライトの明るさの調整を行い、該バックライトを用いて該映像信号の映像を表示する表示装置であって、前記映像信号に対して、シャープネス調整を行うシャープネス調整部を備え、前記シャープネス調整の強さを、ブロックごとに、同じブロックにおける前記明るさの調整の度合に応じて定める構成とする。
【００１２】
本構成によれば、ローカルディミングを行うものでありながらも、ブロックごとの画質の差を低減させることが容易となる。
【００１３】
また上記構成としてより具体的には、前記バックライトが明るく調整されるほど、前記シャープネス調整の強さを高くする構成としてもよい。
【００１４】
また上記構成において、各ブロックにおける前記カラーゲイン調整の強さの指標となる調整値を、同じブロックにおける前記明るさの調整の度合に応じて仮決めし、各ブロックにおける仮決めされた前記調整値を、周囲のブロックにおける仮決めされた前記調整値との差が緩和されるように補正し、該補正のなされた前記調整値に基づいて、前記カラーゲイン調整の強さを定める構成としてもよい。
【００１５】
本構成によれば、ブロック同士の境界付近における画質の差が際立ってしまうことを、抑制することが可能となる。
【００１６】
また上記構成において、各ブロックにおける前記シャープネス調整の強さの指標となる調整値を、同じブロックにおける前記明るさの調整の度合に応じて仮決めし、各ブロックにおける仮決めされた前記調整値を、周囲のブロックにおける仮決めされた前記調整値との差が緩和されるように補正し、該補正のなされた前記調整値に基づいて、前記シャープネス調整の強さを定める構成としてもよい。
【００１７】
本構成によれば、ブロック同士の境界付近における画質の差が際立ってしまうことを、抑制することが可能となる。
【発明の効果】
【００１８】
上述した通り、本発明に係る表示装置によれば、ローカルディミングを行うものでありながらも、ブロックごとの画質の差を低減させることが容易となる。
【図面の簡単な説明】
【００１９】
【図１】本発明の実施形態に係るテレビジョン受像機の構成図である。
【図２】ブロックに関する説明図である。
【図３】ブロック別ＡＰＬ検出部が行う処理に関する説明図である。
【図４】調整パラメータに関する説明図である。
【発明を実施するための形態】
【００２０】
本発明の実施形態について、２次元でのローカルディミングの機能を有するテレビジョン受像機（表示装置の一形態）を例に挙げ、以下に説明する。
【００２１】
１．第１実施形態
まず本発明の一実施形態（第１実施形態）について説明する。
【００２２】
図１は、本実施形態に係るテレビジョン受像機の構成図である。本図に示すように、当該テレビジョン受像機１は、バックライトＢＬ、液晶パネルＬＰ、受信部１１、シャープネス調整部１２、カラーゲイン調整部１３、マトリックス処理部１４、コントラスト等調整部１５、ブロック別ＡＰＬ検出部１６、ディミング制御部１７、ＡＰＬ対応画質制御部１８、およびユーザ対応画質制御部１９などを有している。
【００２３】
バックライトＢＬは、液晶パネルＬＰの裏側に配置されており、液晶パネルＬＰに向けてバックライトの光を照射する。また液晶パネルＬＰは複数の画素を有しており、後述する映像信号に応じて、画素ごとにバックライトの透過度合を調節する。これにより、液晶パネルＬＰには映像が表示されることになる。
【００２４】
なおテレビジョン受像機１では、ローカルディミングを実現させるため、概念上、映像の表示領域は複数のブロックに区切られている。すなわち、バックライトＢＬおよび液晶パネルＬＰにおける映像の表示領域に重なる部分は、図２に破線で示すように複数のブロックに区切られている。本実施形態ではこのように、４０（縦５×横８）個のブロックに区切られているが、ブロックの個数や形状などについては特に限定されない。なお、バックライトＢＬにおける任意の一のブロックと、これに重なる液晶パネルＬＰにおける一のブロックは、互いに同じブロックである。
【００２５】
また図２に示すようにバックライトＢＬは、ブロックごとに、バックライトの光源として用いられる一または複数個のＬＥＤ［Light Emitting Diode］を有している。ＬＥＤは、少なくともブロックごとに、互いに独立して発光輝度（明るさ）を調整することが可能となっている。
【００２６】
これにより、ブロックごとにバックライトの明るさを調整することが可能となっている。各ブロックについてのバックライトの明るさの調整度合は、同じブロックの液晶パネルＬＰに届くバックライトの明るさに、特に反映されることとなる。なお光源の種類は、ＬＥＤには限られず、他の種類のものが採用されていても構わない。
【００２７】
図１に戻り、受信部１１は、テレビ放送信号を受信し、テレビ番組の映像を表す映像信号を後段側に送出する。なお受信部１１が送出する映像信号の形式は、一例として、いわゆるＹＣｂＣｒ表色系の形式となっている。つまり受信部１１は、Ｙ信号（輝度信号）、Ｃｂ信号（色差信号）、およびＣｒ信号（色差信号）を、映像信号として送出する。Ｙ信号はシャープネス調整部１２およびブロック別ＡＰＬ検出部１６へ、Ｃｂ信号およびＣｒ信号はカラーゲイン調整部１３へ、それぞれ送出される。
【００２８】
シャープネス調整部１２は、受信部１１から送られてきた映像信号（Ｙ信号）にシャープネス調整の処理を施し、マトリックス処理部１４へ送出する。なおシャープネス調整の強さは、ブロックごとに、後述する調整パラメータαの値（シャープネス調整の強さの指標となる調整値であり、ブロックごとに求められる）によって定められる。
【００２９】
すなわちシャープネス調整部１２は、映像信号の全体に常に均一な強さのシャープネス調整を施すのではなく、あるブロックに表示される部分については、そのブロックに対して定められた強さのシャープネス調整を施すようにする。調整パラメータαの値が大きいほど、そのブロックでのシャープネス調整の強さ（調整後のシャープネス特性の度合）は高くなる。
【００３０】
カラーゲイン調整部１３は、受信部１１から送られてきた映像信号（Ｃｂ信号、Ｃｒ信号）にカラーゲイン調整の処理を施し、マトリックス処理部１４へ送出する。なおカラーゲイン調整の強さは、ブロックごとに、後述する調整パラメータβの値（カラーゲイン調整の強さの指標となる調整値であり、ブロックごとに求められる）によって定められる。
【００３１】
すなわちカラーゲイン調整部１３は、映像信号の全体に常に均一な強さのカラーゲイン調整を施すのではなく、あるブロックに表示される部分については、そのブロックに対して定められた強さのカラーゲイン調整を施すようにする。調整パラメータβの値が大きいほど、そのブロックでのカラーゲイン調整の強さ（調整後の色の濃さの度合）は高くなる。
【００３２】
なおシャープネス調整は、映像におけるシャープネス特性（鮮鋭度）を調整する処理として、カラーゲイン調整は、映像における色の濃さを調整する処理として、それぞれ知られている。シャープネス調整は、例えば、映像中の輪郭（輝度に差がある部分）においてその傾きを急峻にし、輪郭周辺に適度なピークを付加することによって実現される。カラーゲイン調整は、例えば、色差信号のゲインをコントロールすることによって実現される。これらの処理の具体的な内容などについては、その主旨を逸脱するものでない限り、特に限定されない。
【００３３】
マトリックス処理部１４は、シャープネス調整部１２およびカラーゲイン調整部１３から送られる映像信号（Ｙ信号、Ｃｂ信号、Ｃｒ信号）を、ＲＧＢ（赤・緑・青）形式の映像信号に変換し、後段側に送出する。
【００３４】
コントラスト等調整部１５は、マトリックス処理部１４から送られてくる映像信号に、コントラスト調整やブライトネス調整などの画質調整を施し、後段側に送出する。
【００３５】
液晶パネルＬＰは、コントラスト等調整部１５から送られてきた映像信号に基づいて、画素ごとのバックライトの透過度合が調節されるようになっている。なお当該調節にあたっては、ディミング制御部１７によって行われるバックライトの明るさの調整結果が反映されるようになっている。つまり映像が正しく表示されるように、例えばバックライトが暗く調整されたブロックについては、その分だけ、バックライトの透過度合が高く調節される。
【００３６】
ブロック別ＡＰＬ検出部１６は、受信部１１から送られてきた映像信号（Ｙ信号）について、ブロックごとのＡＰＬ［Average Piture Level：平均輝度レベル］の値（ＡＰＬ値）を検出する。すなわちブロック別ＡＰＬ検出部１６は、図３に例示するように、映像信号が表す映像の各部分（各ブロックに対応するよう区分されたもの）について、別々にＡＰＬ値を検出する。検出された各ブロックのＡＰＬ値の情報は、後段側に伝送される。
【００３７】
ディミング制御部１７は、ブロック別ＡＰＬ検出部１６から送られてきたＡＰＬ値の情報に基づいて、バックライトＢＬのディミング制御を行う。すなわちディミング制御部１７は、各ブロックに対応したバックライトの明るさを、同じブロックのＡＰＬ値が小さいほど（つまり、映像中の当該ブロックに対応する部分が暗くなっているほど）、低減させるようにする。これにより、バックライトＢＬが有する各ＬＥＤは、当該ディミング制御に応じた輝度で発光することになり、ローカルディミングが実現されることになる。
【００３８】
なおディミング制御の具体的な形態としては、様々な形態が採用され得る。一例としては、バックライトの明るさ（通常の明るさを１００％とする）を、ＡＰＬ値が２０％未満のブロックについては８０％（２０％ダウン）、ＡＰＬ値が２０％以上で３０％未満のブロックについては９０％（１０％ダウン）、ＡＰＬ値が３０％以上で４０％未満のブロックについては９５％（５％ダウン）、ＡＰＬ値が４０％以上で５０％未満のブロックについては１００％（通常のまま）、および、ＡＰＬ値が５０％以上のブロックについては１２０％（２０％アップ）とする形態が採用され得る。
【００３９】
ＡＰＬ対応画質制御部１８は、ブロックごとのシャープネス調整およびカラーゲイン調整の強さが、同じブロックにおけるバックライトの明るさの調整度合に対応するように、ブロックごとのＡＰＬ値を用いてこれらを制御する。より具体的には、ＡＰＬ対応画質制御部１８は、ブロック別ＡＰＬ検出部１６から送られてきたＡＰＬ値の情報に基づいて、シャープネス調整についての調整パラメータαの値、およびカラーゲイン調整についての調整パラメータβの値を決定し、これらの情報をユーザ対応画質制御部１９に伝送する。
【００４０】
各ブロックの調整パラメータαの値は、ＡＰＬ値と調整パラメータαの値との関係を表す参照情報を用いて、同じブロックにおけるＡＰＬ値が高いほど大きい値となるように決定される。また各ブロックの調整パラメータβの値は、ＡＰＬ値と調整パラメータβの値との関係を表す参照情報を用いて、同じブロックにおけるＡＰＬ値が高いほど大きい値となるように決定される。
【００４１】
なおこれらの参照情報は、一例としてはＬＵＴ［Look Up Table］や、ＡＰＬ値と調整パラメータとの関係式などであり、予め適切に設定されている情報である。また調整パラメータαおよびβは、同一であっても構わない。ＡＰＬ対応画質制御部１８によれば、各ブロックについて、バックライトが明るく調整されるほど、シャープネス調整およびカラーゲイン調整の強さは高く設定されることになる。
【００４２】
ユーザ対応画質制御部１９は、ユーザの指示（例えば、不図示の操作スイッチについて、ユーザが行った操作の内容）に対応して、シャープネス調整やカラーゲイン調整の強さを制御する。より具体的には、シャープネス調整或いはカラーゲイン調整の強さを修正すべき旨の指示（修正量の指示も含む）がなされた場合には、この指示に応じて、ＡＰＬ対応画質制御部１８から受取った調整パラメータの値を修正する。
【００４３】
またユーザ対応画質制御部１９は、ＡＰＬ値に対応した画質制御（シャープネス調整やカラーゲイン調整の強さの制御）を不実行にすべき旨の指示を、受付けることが可能となっている。当該指示がなされた場合、ユーザ対応画質制御部１９は、ＡＰＬ対応画質制御部１８から受取った調整パラメータの値の代わりに、例えば、予め設定された調整パラメータのデフォルト値（ＡＰＬ値に関わらず一定）を用いるようにする。これにより、ＡＰＬ値に対応した画質制御を不実行とすることが可能である。
【００４４】
ユーザ対応画質制御部１９は、指示に応じて上述した修正を行った後、各調整パラメータ（α、β）の値の情報を、シャープネス調整部１２およびカラーゲイン調整部１３に送出する。これによりシャープネス調整部１２は、調整パラメータαの値として、α１〜α４０までの４０個の値を得ることになる。またカラーゲイン調整部１３は、調整パラメータβの値として、β１〜β４０までの４０個の値を得ることになる。なおαｎおよびβｎ（ｎは１〜４０）は、図４に示すように、それぞれｎ番目のブロックに対応する値である。
【００４５】
そしてシャープネス調整部１２は、最新の調整パラメータαの値に応じた強さでシャープネス調整を行い、カラーゲイン調整部１３は、最新の調整パラメータβの値に応じた強さでカラーゲイン調整を行うことになる。
【００４６】
なお最新の調整パラメータの値を逐次求めるタイミングとしては、映像信号の１フレームごととしても良く、複数フレームごと（例えば１０フレームごと）としても構わない。また、映像信号のＡＰＬ値が急変したとき（例えば、映像のシーンが切替ったとき）に、調整パラメータが急変することを回避するため、ＡＰＬ対応画質制御部１８は、例えばＡＰＬ値の複数フレーム分の移動平均に基づいて、調整パラメータの値を決定するようにしても良い。
【００４７】
上述したようにテレビジョン受像機１においては、シャープネス調整およびカラーゲイン調整の強さは、ブロックごとに、同じブロックにおけるバックライトの明るさの調整度合に応じて定められることになる。
【００４８】
なお、このような趣旨で各ブロックのシャープネス調整およびカラーゲイン調整の強さを定めるにあたっては、同じブロックのＡＰＬ値の情報を用いる代わりに、同じブロックにおけるバックライトの明るさの調整度合の情報を、直接用いるようにしても構わない。
【００４９】
以上に説明した通り、本実施形態のテレビジョン受像機１は、映像信号に基づいてブロックごとのバックライトの明るさの調整を行い、このバックライトを用いて映像信号の映像を表示するものであり、映像信号に対してカラーゲイン調整を行うカラーゲイン調整部１３、および、映像信号に対してシャープネス調整を行うシャープネス調整部１２を備えている。
【００５０】
またカラーゲイン調整部１３は、ブロックごとに、同じブロックにおけるバックライトが明るく調整されるほど、カラーゲイン調整の強さを高くするようになっている。またシャープネス調整部１２は、ブロックごとに、同じブロックにおけるバックライトが明るく調整されるほど、シャープネス調整の強さを高くするようになっている。
【００５１】
すなわち、一般的に色の濃さに関しては、バックライトの明るいブロックでは色が薄くなり、バックライトの暗いブロックでは色が濃くなる傾向があるところ、カラーゲイン調整部１３は、このような変化を打消す方向に、カラーゲイン調整の強さを調節する。また、一般的にシャープネス特性に関しては、バックライトの明るいブロックではシャープネス特性が弱くなり、バックライトの暗いブロックではシャープネス特性が強くなる傾向があるところ、シャープネス調整部１２は、このような変化を打消す方向に、シャープネス調整の強さを調節する。
【００５２】
そのためテレビジョン受像機１によれば、ローカルディミングを行うものでありながらも、ブロックごとの画質の差を低減させて、観察者に出来るだけ違和感を与えないようにすることが可能となっている。
【００５３】
２．第２実施形態
先述した通り、第１実施形態に係るテレビジョン受像機は、シャープネス調整およびカラーゲイン調整の強さを、ブロックごとに調節する。この点、シャープネス調整やカラーゲイン調整の強さがブロックごとに完全に独立して調節されると、ブロック同士の境界付近における画質の差が際立ってしまうことがあり、観察者に違和感を与えるおそれがある。
【００５４】
そこで第１実施形態の利点を活かしつつ、このような画質の差を低減させるように配慮したものを、本発明の別の実施形態（第２実施形態）として以下に説明する。なお第２実施形態は、シャープネス調整およびカラーゲイン調整の強さを定める手順に関する点を除き、基本的に第１実施形態と同じである。以下の説明では、第１実施形態と異なる内容の説明に重点を置き、第１実施形態と同じ内容については説明を省略することがある。
【００５５】
第１実施形態におけるシャープネス調整部１２は、各ブロックの調整パラメータαの値（同じブロックにおけるバックライトの明るさの調整度合に応じて決められた値）を、調整の強さの指標となる調整値として、そのまま各ブロックのシャープネス調整の強さに反映させていた。
【００５６】
この点、本実施形態では、各ブロックの調整パラメータαの値を、同じブロックにおけるバックライトの明るさの調整度合に応じて仮決めされた調整値（途中段階の調整値）として扱う。そしてシャープネス調整部１２は、各ブロックの調整パラメータαの値を、その周囲のブロックの調整パラメータαの値との差が緩和されるように補正した上で、シャープネス調整の強さに反映させるようにする。
【００５７】
シャープネス調整部１２は、一例として、各ブロックの調整パラメータの値αｎ（ｎは１〜４０）を、次の（１）式に従って補正する。
αn´＝Ｃ1×αn＋Ｃ2×｛α（U）＋α（R）＋α（D）＋α（L）｝
（但し、Ｃ1＋４×Ｃ2＝１とする）                    ・・・（１）
【００５８】
ここでαｎ´は、補正後のαｎを表す。またα（U）、α（R）、α（D）、およびα（L）は、それぞれ、αｎに対応するブロックの上側、右側、下側、および左側に隣接するブロックにおける、補正前の調整パラメータαの値を表す。またＣ1およびＣ2は重み付けの係数を表し、例えばＣ1＝0.6、Ｃ2＝0.1に設定される。なお、例えば上側に隣接するブロックが無い場合（補正対象に係るブロックが、最上段に位置するブロックの場合）には、α（U）は、αｎに置換えられるようにすれば良い。
【００５９】
（１）式によれば、上下左右に隣接するブロックを周囲のブロックとみなし、αｎと周囲のブロックにおける調整パラメータの値との間で、一定の重み付けを考慮した平均化が行われる。このような補正により、各ブロックの調整パラメータαの値と、その周囲のブロックの調整パラメータαの値との差は、緩和されることになる。
【００６０】
そしてシャープネス調整部１２は、各ブロックの補正済みの調整パラメータの値αｎ´に従って、シャープネス調整の強さをブロックごとに定める。αｎ´が大きい値であるほど、そのブロックでのシャープネス調整の強さが高くなるのは、第１実施形態の場合と同様である。
【００６１】
また第１実施形態におけるカラーゲイン調整部１３は、各ブロックの調整パラメータβの値（同じブロックにおけるバックライトの明るさの調整度合に応じて決められた値）を、調整の強さの指標となる調整値として、そのまま各ブロックのカラーゲイン調整の強さに反映させていた。
【００６２】
この点、本実施形態では、各ブロックの調整パラメータβの値を、同じブロックにおけるバックライトの明るさの調整度合に応じて仮決めされた調整値（途中段階の調整値）として扱う。そしてカラーゲイン調整部１３は、各ブロックの調整パラメータβの値を、その周囲のブロックの調整パラメータβの値との差が緩和されるように補正した上で、カラーゲイン調整の強さに反映させるようにする。
【００６３】
すなわちカラーゲイン調整部１３は、一例として、各ブロックの調整パラメータの値βｎ（ｎは１〜４０）を、次の（２）式に従って補正する。
βn´＝Ｃ3×βn＋Ｃ4×｛β（U）＋β（R）＋β（D）＋β（L）｝
（但し、Ｃ3＋４×Ｃ4＝１とする）                    ・・・（２）
【００６４】
ここでβｎ´は、補正後のβｎを表す。またβ（U）、β（R）、β（D）、およびβ（L）は、それぞれ、βｎに対応するブロックの上側、右側、下側、および左側に隣接するブロックにおける、補正前の調整パラメータβの値を表す。またＣ3およびＣ4は重み付けの係数を表し、例えばＣ3＝0.6、Ｃ4＝0.1に設定される。なお、例えば上側に隣接するブロックが無い場合（補正対象に係るブロックが、最上段に位置するブロックの場合）には、β（U）は、βｎに置換えられるようにすれば良い。
【００６５】
（２）式によれば、上下左右に隣接するブロックを周囲のブロックとみなし、βｎと周囲のブロックにおける調整パラメータの値との間で、一定の重み付けを考慮した平均化が行われる。このような補正により、各ブロックの調整パラメータβの値と、その周囲のブロックの調整パラメータβの値との差は、緩和されることになる。
【００６６】
そしてカラーゲイン調整部１３は、各ブロックの補正済みの調整パラメータの値βｎ´（ｎは１〜４０）に従って、カラーゲイン調整の強さをブロックごとに定める。βｎ´が大きい値であるほど、そのブロックでのカラーゲイン調整の強さが高くなるのは、第１実施形態の場合と同様である。
【００６７】
なお、上述した（１）式や（２）式の内容等は一例に過ぎず、これらに限定されるものではない。また「周囲のブロック」の範囲については、上下左右に隣接する４個のブロックに限定されるものではなく、例えば、斜め方向直近に位置するブロックも含めた８個のブロックとすることも可能である。
【００６８】
以上に説明した通り、本実施形態のテレビジョン受像機１は、各ブロックにおける調整パラメータαの値（シャープネス調整の強さの指標となる調整値）αｎを、同じブロックにおけるバックライトの明るさの調整の度合に応じて仮決めし、各ブロックにおける仮決めされた値αｎを、周囲のブロックにおける仮決めされた値αｎとの差が緩和されるように補正する。そして当該補正のなされた値αｎ´に基づいて、シャープネス調整の強さを定めるようになっている。
【００６９】
また本実施形態のテレビジョン受像機１は、各ブロックにおける調整パラメータβの値（カラーゲイン調整の強さの指標となる調整値）βｎを、同じブロックにおけるバックライトの明るさの調整の度合に応じて仮決めし、各ブロックにおける仮決めされた値βｎを、周囲のブロックにおける仮決めされた値βｎとの差が緩和されるように補正する。そして当該補正のなされた値βｎ´に基づいて、カラーゲイン調整の強さを定めるようになっている。
【００７０】
そのため本実施形態のテレビジョン受像機１によれば、第１実施形態の利点を活かしつつも、ブロック同士の境界付近における画質の差が際立ってしまうこと等を抑制し、観察者に出来るだけ違和感を与えないようにすることが可能である。
【００７１】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００７２】
本発明は、ローカルディミングを行う表示装置に利用することができる。
【符号の説明】
【００７３】
１    テレビジョン受像機（表示装置）
１１    受信部
１２    シャープネス調整部
１３    カラーゲイン調整部
１４    マトリックス処理部
１５    コントラスト等調整部
１６    ブロック別ＡＰＬ検出部
１７    ディミング制御部
１８    ＡＰＬ対応画質制御部
１９    ユーザ対応画質制御部
ＢＬ    バックライト
ＬＰ    液晶パネル
【図１】
2012205051.tif 000003
【図４】
2012205051.tif 000004
【図２】
2012205051.tif 000005
【図３】
2012205051.tif 000006